(57)【特許請求の範囲】
【請求項１】
ディスク状のホログラムを含むフォトンモードの光記録媒体を挟み込むようにして回転自在に収容するカートリッジ本体と、このカートリッジ本体に設けられて光記録媒体を外部に露呈させる開口と、この開口を閉じる閉じ位置と開放する開き位置との間で移動自在となるように該カートリッジ本体に取り付けられているシャッタとを備えたカートリッジであって、
前記シャッタは、該シャッタの外周端部に前記カートリッジ本体側に曲げられて形成された屈曲部を有し、前記カートリッジ本体は、前記外周端部に対応する位置に形成された突出部を有し、前記シャッタは、開口を開閉するようにスライド移動する第１遮光板部と、該第１遮光板部の、前記シャッタを開く方向に移動する側の先端に、垂直に立設された第２遮光板部とを有し、前記突出部が、前記シャッタが閉じ位置にあるときに、前記第１遮光板部に対向するように形成された突出部上面と、前記第２遮光板部に対向するように形成された突出部側面とを有し、前記突出部上面と該突出部上面の反対側の、前記光記録媒体に対する面にマット加工、またはシボ加工が施されていることを特徴とする光記録媒体用カートリッジ。
【請求項２】
前記屈曲部が、前記外周端部の、該シャッタを開く方向に移動する側の端部に形成されていることを特徴とする請求項１に記載の光記録媒体用カートリッジ。
【請求項３】
前記第２遮光板部に対して前記シャッタが閉じる方向に垂直に立設された第３遮光板部とを有し、前記カートリッジ本体に、前記シャッタが閉じ位置にあるときに、前記第１遮光板部と前記第３遮光板部の間に挿入される突条が設けられていることを特徴とする請求項１又は２に記載の光記録媒体用カートリッジ。
【請求項４】
前記第２遮光板部に対して前記シャッタが開く方向に垂直に立設された第３遮光板部とを有し、前記カートリッジ本体は、前記突出部上面の内側にオフセットされ、前記第３遮光板部に対向するように形成されたシャッタ摺動面とが設けられていることを特徴とする請求項１又は２に記載の光記録媒体用カートリッジ。
【請求項５】
前記カートリッジ本体は、前記光記録媒体に対する内面と、前記シャッタに対する外面とに、表面粗さR a：５〜２０μ ｍのマット加工、またはシボ加工が施されていることを特徴とする請求項１から４いずれか１つに記載の光記録媒体用カートリッジ。
【請求項６】
前記カートリッジ本体は、略板形状の第１シェルと、この第１シェルに重ね合わされて溶着される第２シェルからなり、前記第１シェル及び第２シェルは、同一または類似の熱可塑性プラスチックで形成され、かつシャッタを含むその他の部品は、該第１シェル及び第２シェルと異なる材質で形成されていることを特徴とする請求項１から５いずれか１つに記載の光記録媒体用カートリッジ。
【請求項７】
前記第１シェル及び第２シェルと、シャッタは、その成形に用いられるプラスチックに遮光性物質が０ ．０ １〜５ ．００重量％添加されていることを特徴とする請求項１から６いずれか１つに記載の光記録媒体用カートリッジ。
【請求項８】
前記第１シェル及び第２シェルと、シャッタは、その成形に用いられるプラスチックにカーボンブラックが０．０１〜２．００重量％ 添加されていることを特徴とする請求項１から７いずれか１つに記載の光記録媒体用カートリッジ。
【請求項９】
前記第１シェル及び第２シェルと、シャッタは、その成形に用いられるプラスチックにシリコーン系滑剤が０．１〜５．０重量％添加されていることを特徴とする請求項１から８いずれか１つに記載の光記録媒体用カートリッジ。
【請求項１０】
前記光記録媒体に対する面に施されたマット加工、またはシボ加工の表面粗さＲａが５〜２０μ ｍであることを特徴とする請求項１から９のいずれか１つに記載の光記録媒体用カートリッジ。
【発明の詳細な説明】
【技術分野】
【０００１】
本発明は、感光性記録媒体を収容する感光性記録媒体用カートリッジに関し、更に詳しくは、感光性記録媒体としてホログラムを含むフォトンモードの光記録媒体（以下、ホログラム記録媒体ともいう。）を収容する光記録媒体用カートリッジのカートリッジ本体とシャッタとの間の遮光性能及び防塵性能の改良に関する。
【背景技術】
【０００２】
データをホログラムによって記録するホログラム記録媒体が発明されている。（例えば、特許文献１参照）このホログラム記録媒体は、円板形状の支持体上に感光性材料からなるホログラム記録層が層設された感光性記録媒体であり、データをレーザ光の干渉縞として多層記録することにより、従来普及している記録媒体であるDVDよりも大きなデータ記録容量を得ることができる。このホログラム記録媒体は、ホログラム記録層が曝光され、または塵芥が付着することによりその性能に悪影響が及ぶため、遮光機能及び防塵機能を有するカートリッジに収容されて取り扱われている。（例えば特許文献２参照）
【０００３】
特許文献１に記載の発明は、DVD-RAMのカートリッジに類似したカートリッジにホログラム記録媒体を収容している。このカートリッジは、ホログラム記録層に影響を与える波長域の光線の透過率が小さい材質で形成されている。また、特許文献２に記載の発明では、ホログラム記録層の感応色を遮光する材質でカートリッジを形成し、ホログラム記録媒体を外部に露呈させる可動部分の合わせ目には、スポンジ状の遮光材を貼付している。
【０００４】
【特許文献１】特開２００４−０２９４７６号公報
【特許文献２】特開２００３−３１７４２２号公報
【発明の開示】
【発明が解決しようとする課題】
【０００５】
一般的に、ディスク状の記録媒体を収容するカートリッジは、記録媒体を回転自在な状態で挟み込むようにして収容する上側シェル及び下側シェルと、これら上側シェル及び下側シェルに記録媒体の一部を外部に露呈させるように形成されている開口と、この開口を開閉するシャッタとを備えている構成が考えられる。しかし、シャッタが開口を開閉自在に構成するため、シャッタと上側シェル及び下側シェルとの間には実質的に僅かな隙間が形成され、この隙間から光や塵芥が進入し、ホログラム記録媒体に悪影響を与えることが懸念される。
【０００６】
本発明は、上記事情を鑑みてなされたもので、その目的は、ホログラム記録媒体等の感光性記録媒体の遮光及び防塵効果の高いカートリッジを提供することにある。
【課題を解決するための手段】
【０００７】
本発明の上記目的は、ディスク状のホログラムを含むフォトンモードの光記録媒体を挟み込むようにして回転自在に収容するカートリッジ本体と、このカートリッジ本体に設けられて光記録媒体を外部に露呈させる開口と、この開口を閉じる閉じ位置と開放する開き位置との間で移動自在となるように該カートリッジ本体に取り付けられているシャッタとを備えたカートリッジであって、
前記シャッタは、該シャッタの外周端部に前記カートリッジ本体側に曲げられて形成された屈曲部を有し、前記カートリッジ本体は、前記外周端部に対応する位置に形成された突出部を有し、前記シャッタは、開口を開閉するようにスライド移動する第１遮光板部と、該第１遮光板部の、前記シャッタを開く方向に移動する側の先端に、垂直に立設された第２遮光板部とを有し、前記突出部が、前記シャッタが閉じ位置にあるときに前記第１遮光板部に対向するように形成された突出部上面と、前記第２遮光板部に対向するように形成された突出部側面とを有し、前記突出部上面と該突出部上面の反対側の、前記光記録媒体に対する面にマット加工、またはシボ加工が施されていることを特徴とする光記録媒体用カートリッジによって達成される。
【０００８】
本発明のカートリッジは、カートリッジ本体の開口をシャッタで閉じた状態では、シャッタの屈曲部と、カートリッジ本体の突出部との間の隙間が、カートリッジ本体側に回りこむ構造、いわゆるラビリンス構造となる。すると、光や塵芥はシャッタと上側シェル及び下側シェルとの間の隙間を通ってカートリッジ内の感光性記録媒体に進入するのは困難になるため、感光性記録媒体を感光させず、かつ清浄な状態で収容することができる。
上記カートリッジは、屈曲部が、前記外周端部の、該シャッタを開く方向に移動する側の端部に形成されていることが好ましい。
【０００９】
上記カートリッジは、シャッタが、開口を開閉するようにスライド移動する第１遮光板部と、第１遮光板部の、シャッタを開く方向に移動する側の先端に、垂直に立設された第２遮光板部と、第２遮光板部に対してシャッタが閉じる方向に垂直に立設された第３遮光板部とを有し、カートリッジ本体に、シャッタが閉じ位置にあるときに、第１遮光板部と第３遮光板部の間に挿入される突条が設けられていることが好ましい。こうすれば、カートリッジ本体の開口をシャッタで閉じた状態では、シャッタとカートリッジ本体との間の隙間が４回折り曲げられた構成となる。すると、シャッタの開閉方向と平行に入射する光が、シャッタと上側シェル及び下側シェルとの間の隙間を通ってカートリッジ内の感光性記録媒体に進入することを防止できる。塵芥が進入する場合も同様に困難になる。そのため、感光性記録媒体を感光させず、かつ清浄な状態で収容することができる。
【００１０】
上記カートリッジは、シャッタが、開口を開閉するようにスライド移動する第１遮光板部と、第１遮光板部の、シャッタを開く方向に移動する側の先端に、垂直に立設された第２遮光板部とを有し、突出部が、シャッタが閉じ位置にあるときに、第１遮光板部に対向するように形成された突出部上面と、第２遮光板部に対向するように形成された突出部側面が設けられていることが好ましい。こうすれば、カートリッジ本体の開口をシャッタで閉じた状態では、シャッタとカートリッジ本体との間の隙間が２回折り曲げられた構成となる。すると、シャッタの開閉方向と平行に入射する光が、シャッタと上側シェル及び下側シェルとの間の隙間を通ってカートリッジ内の感光性記録媒体に進入することを防止できる。塵芥が進入する場合も同様に困難になる。そのため、感光性記録媒体を感光させず、かつ清浄な状態で収容することができる。
【００１１】
上記カートリッジは、シャッタが、開口を開閉するようにスライド移動する第１遮光板部と、第１遮光板部の、シャッタを開く方向に移動する側の先端に、垂直に立設された第２遮光板部と、第２遮光板部に対してシャッタが開く方向に垂直に立設された第３遮光板部とを有し、カートリッジ本体は、シャッタが閉じ位置にあるときに、第１遮光板部に対向するように形成された突出部上面と、第２遮光板部に対向するように形成された突出部側面、突出部上面の内側にオフセットされ、第３遮光板部に対向するように形成されたシャッタ摺動面が設けられていることが好ましい。こうすれば、カートリッジ本体の開口をシャッタで閉じた状態では、シャッタとカートリッジ本体との間の隙間が２回折り曲げられた構成となる。すると、シャッタの開閉方向と平行に入射する光は、シャッタと上側シェル及び下側シェルとの間の隙間を通ってカートリッジ内の感光性記録媒体に進入するのは困難になる。塵芥が進入する場合も同様に困難になる。そのため、感光性記録媒体を感光させず、かつ清浄な状態で収容することができる。
【００１２】
また、上記カートリッジ本体は、感光性記録媒体に対する内面と、シャッタに対する外面とに、表面粗さRa５：〜２０μｍのマット加工、またはシボ加工が施されていることが好ましい。こうすれば、カートリッジ内部や、カートリッジ本体とシャッタとの間に光が進入した場合でも、粗面によって光を拡散、減衰させることができるため、感光性記録媒体に対する影響を軽減させることができる。
【００１３】
また、上記カートリッジ本体は、板形状の第１シェルと、この第１シェルに重ね合わされて溶着される第２シェルからなり、第１シェル及び第２シェルは、同一または類似の熱可塑性プラスチックで形成され、かつシャッタを含むその他の部品は、第１シェル及び第２シェルと異なる材質で形成されていることが好ましい。これにより、第１シェルと第２シェルとの溶接時に第１シェル及び第２シェルとその他の部品とが溶着してしまうのを防止することができる。
【００１４】
上記カートリッジは、第１シェル及び第２シェルと、シャッタは、その成形に用いられるプラスチックに遮光性物質が０．０１〜５．００重量％添加されていることが好ましい。また、第１シェル及び第２シェルと、シャッタは、その成形に用いられるプラスチックにカーボンブラックを使用する場合は、カーボンブラックが０．０１〜２．００重量％添加されていることが好ましい。こうすれば、カートリッジ本体とシャッタとの光透過率を小さくすることができ、カートリッジの遮光性能を向上させることができる。
【００１５】
また、上記カートリッジは、第１シェル及び第２シェルと、シャッタは、その成形に用いられるプラスチックにシリコーン系滑剤が０．１〜５．０重量％添加されていることが好ましい。こうすれば、シャッタの動作が滑らかになるため、シャッタとカートリッジ本体との間の摩擦により削り屑等が発生するのを防止することができる。
【発明の効果】
【００１６】
本発明によれば、ホログラム記録媒体等の感光性記録媒体の遮光及び防塵効果の高いカートリッジを提供できる。
【発明を実施するための最良の形態】
【００１７】
本発明を用いたホログラム記録媒体用カートリッジ（以下、カートリッジと省略する）の第１に実施形態について図面に基づいて詳しく説明する。図１〜図３は、第１実施形態のカートリッジの外観形状を示す斜視図であり、図４及び図５は、カートリッジ装填方向Ａに直交する方向の要部断面図である。
【００１８】
カートリッジ２は、内部に設けられたディスク収容部３に、円板形状のホログラム記録媒体（以下、記録ディスクと称する）４を回転自在に収容している。記録ディスク４は、カートリッジ２に収容された状態で取り扱われる。
【００１９】
記録ディスク４は、中心部に穴をあけてディスク状にしたものであり、両面に感光性材料からなるホログラム記録層が設けられた感光性記録媒体である。このホログラム記録層には、例えば、緑色５３２nm〜青色４０５nmの波長域のレーザ光により、データがレーザ光の干渉縞として多層記録される。なお、記録ディスク４の穴部に補強材を付加してもよい。
【００２０】
カートリッジ２の上面及び下面には、ディスク収容部３に収容した記録ディスク４を外部に露呈させる開口７，８が形成されている。これら開口７，８は、常態ではカートリッジ2の外側に移動自在に設けられたシャッタ１０によって閉じられており、シャッタ１０が矢印Ｂ方向の開き位置に向けて移動されることにより開放される。シャッタ１０は、バネによって閉じ位置である矢印Ｃ方向に付勢されており、独立して動作するようにカートリッジ２の両面にそれぞれ設けられたロック機構１１，１２によって閉じ位置でロックされている。そのため、カートリッジ２に対する振動や衝撃等によってシャッタ１０が移動し、開口７，８が不用意に開放されることはない。
【００２１】
カートリッジ２は、記録ディスク４にデータを記録する記録装置や、記録ディスク４からデータを読み出す再生装置に設けられたカートリッジスロットに対し、装填方向Ａから挿入される。記録装置または再生装置に装填されたカートリッジ２は、両端に設けられた位置決め穴１５によって位置決めされ、シャッタ１０が開き位置に移動されて開口７，８が開放される。例えば、図１に示す状態でカートリッジ２が装置に装填された場合には、下面の開口８から装置のピックアップ部がカートリッジ２内に挿入され、記録ディスク４の下面のホログラム記録層に対しデータが記録または再生される。また、図２に示すように、カートリッジ２を裏返して装置に装填した場合には、下面に配置される開口７からピックアップ部が挿入され、図１における記録ディスク４の上面のホログラム記録層にデータが記録または再生される。
【００２２】
記録装置及び再生装置内には、カートリッジ２のロック機構１１，１２を解除するロック解除機構と、シャッタ１０を閉じ位置と開き位置との間で移動させるシャッタ開閉機構とが組み込まれている。図３に示すように、ロック解除機構は、装置内で解除冶具１８，１９を軸方向に移動させ、カートリッジ２の両面にそれぞれ設けられたロック機構１１，１２の解除用係合部２０，２１に該治具１８，１９をそれぞれ係合させる。解除用係合部２０，２１は、例えば三叉形状になっており、解除治具１８，１９はこの解除用契合部20，21に対して容易に係合可能なように、3本の係合ピン２３を有している。
【００２３】
解除治具１８，１９が解除用係合部２０，２１に係合し、それぞれ反時計方向に回転されると各ロック機構１１，１２が解除される。次いで、シャッタ開閉機構がシャッタ１０の側面に形成された穴１０aに駆動用のピンを挿入し、かつ開き方向Ｂに移動させる。これにより、シャッタ１０がスライド移動され、図５（Ｂ）に示すように、カートリッジ２の両面の開口７，８が開放される。
【００２４】
図６は、カートリッジ２の構成を示す分解斜視図である。カートリッジ２は、記録ディスク４を回転自在に収容するカートリッジ本体２５と、このカートリッジ本体２５の両面の開口７，８を外側から開閉するシャッタ１０と、カートリッジ本体２５に組み込まれるロック機構１１，１２とからなる。なお、ロック機構１２は、ロック機構１１と面対称で同じ構成及び構造であるため、図示及び詳しい説明は省略する。
【００２５】
図７に示すように、カートリッジ本体２５は、略板状の下側シェル３０と、この下側シェル３０の上面に接合される上側シェル３１とから構成されている。下側３０と上側シェル３１は、遮光性物質と滑剤とが添加された同一または類似の熱可塑性プラスチックによって形成されている。なお、本実施形態では、第１シェルとして下側シェル３０を、第２シェルとして上側シェル３１をそれぞれ対応させているが、逆にしてもよい。
【００２６】
上記遮光性物質として様々な物質を添加することができるが、使用する遮光性物質に応じて、例えば、０．０１〜５．００重量％を添加することが好ましい。また、上記遮光性物質として、例えば、カーボンブラックを用いることができる。カーボンブラックの添加量としては、０．０１〜２．００重量％が好ましい。添加量が０．０１重量％を超えると、遮光性及び物理強度の向上という効果が表れるが、２．００重量％を超えると物理強度が低下するためである。
【００２７】
上記滑剤として、例えば、シリコーン系滑剤を用いることができる。このシリコーン系滑剤の添加により摩擦抵抗が低減するため、シャッタ１０の移動による削り屑の発生を少なくすることができる。また、輸送時の衝撃で記録ディスク４とカートリッジ２の内壁とが接触した場合の削り屑の発生も低減することができる。さらに、機器への挿入性能の取り扱い性が向上する。また、流動性が向上するため、成形時の混練性、射出成形等の加工性も向上する。
【００２８】
なお、シリコーン系滑剤の添加量としては、０．１〜３．０重量％が好ましい。０．１重量％以下では効果が少なく、３．０重量％以上では、流動性がよくなりすぎて混練、成形時にスクリューと樹脂とに滑りが生じて、加工性が悪化し、製品表面にブリードアウトして記録ディスク４や使用者の手などに付着し、取り扱い性、外観性で不具合を生じることがあるためである。なお、共重合シリコーンを使用する場合には、上記不具合は生じにくくなるため、５．０重量％まで添加することが可能である。
【００２９】
下側シェル３０の内面には、記録ディスク４が収容される略円形のディスク収容部３と、このディスク収容部３の周囲を取り囲むように突条状に設けられた第１の凹部３４と、端縁全周に設けられた第２の凹部３５と、位置決め穴１５の周囲を取り囲む遮光壁３６と、シャッタ１０のバネを収納するスペースとなる切欠部３７とが設けられている切欠部37内には、シャッタ１０のバネの一端が掛けられるバネ掛け片３８が一体に設けられている。
【００３０】
また、上側シェル３１の内面には、下側シェル３０のディスク収容部３の上面を構成する上面部４１と、下側シェル３０の第１の凹部３４内に挿入される第１の凸部４２と、第２の凹部３５内に挿入される第２の凸部４３と、位置決め穴１５の周囲に取り囲むように設けられ、遮光壁３６内に挿入される遮光壁４４とが設けられている。
【００３１】
ディスク収容部３に記録ディスク４を乗せ、上側シェル３１を下側シェル３０の上面に重ね合わせると、第１の凸部４２が第１の凹部３４内に嵌合される。図４のＤ矢印部の拡大図である図８に示すように、第１の凹部３４内に嵌合された第１の凸部４２の先端４２aが下側シェル３０の内面３０aに対面し、その先端４３aが下側シェル３０の内面３０aに当接することにより、嵌合構造が形成される。
【００３２】
ディスク収容部３の外周は、ラビリンス状の遮光構造によって取り囲まれるため、下側シェル３０及び上側シェル３１の合わせ目から光や塵芥がディスク収容部３内に進入することはない。また、図９の断面図に示すように、位置決め穴１５の外周も、二つの遮光壁３６、４４の嵌合によりラビリンス状の遮光構造が形成されるため、位置決め穴１５から光や塵芥が進入することはない。更に、位置決め穴１５は、第１の凹部３４及び第１の凸部４２からなる遮光構造の外側に配置されるため、ディスク収容部３の遮光性及び防塵性に影響はない。
【００３３】
上側シェル３１の第２の凸部４３は、超音波溶着によって下側シェル３０の内面３０aに固着される。これにより、下側シェル３０と上側シェル３１とが強固に接合されるため、両者の合わせ目に隙間が開くようなことはない。また、超音波溶着を行うと、プラスチック粉が周囲に飛散する場合があるが、第２の凹部３５内で行うことにより飛散を最小限にし、記録ディスク４の汚損を防止することができる。
【００３４】
カートリッジ本体２５にシャッタ１０やロック機構１１等を組み込んだ後で、下側シェル３０と上側シェル３１とを超音波溶着すると、シャッタ１０等の他の部品も一緒に溶着されることがある。これを防止するためには、シャッタ１０等の他の部品の材質には、下側シェル３０及び上側シェル３１とは異なる種類のプラスチックを用いるとよい。
【００３５】
下側シェル３０と上側シェル３１との超音波溶着による接合をより確実に行うには、図１０に示すように、第２の凸部４３の先端４３aに突起状のエネルギーダイレクタ４７を設けるとよい。エネルギーダイレクタ４７を設けて超音波溶着を行うと、超音波のエネルギーがエネルギーダイレクタ４７に集中するため、第２の凸部４３と下側シェル３０とをより強固に溶着することができる。なお、下側シェル３０と上側シェル３１との間の超音波溶着は、第２の凸部４３の全周で行ってもよいし、一定間隔でスポット的に行ってもよい。
【００３６】
シャッタ１０は、下側シェル３０及び上側シェル３１とは種類の異なるプラスチックにより形成されている。このプラスチックには、下側シェル３０及び上側シェル３１の成形に用いたプラスチックと同様に、遮光性物質と滑剤とを添加してもよい。図１１に示すように、シャッタ１０は、カートリッジ本体２５の装填方向Ａ側の側面に配置されるベース部５０と、カートリッジ本体２５の上下面を挟み込むようにベース部５０に一体に形成される下側シャッタ板５１及び上側シャッタ板５２とからなる。ベース部５０の内面には、シャッタバネ５４の一端が掛けられるバネ掛け片５６が一体に設けられている。シャッタバネ５４の他端は、下側シェル３０のバネ掛け片３８に掛けられて切欠部３７に収納され、シャッタ１０を閉じ位置に向けて付勢する。
【００３７】
下側シェル３０及び上側シェル３１の各外面には、各シャッタ板５１、５２の閉じ方向Ｃの側端縁５１a、５２aを収納するスリット６０、６１と、装填方向Ａの後端縁５１ｂ、５２ｂを収納するスリット６２、６３（図１及び図２参照）とがそれぞれ形成されている。また、各シャッタ板５１，５２には、開口７，８を開閉するようにスライド移動する第１遮光板部５１ｃ、５２ｃと、第１遮光板部５１ｃ、５２ｃのシャッタを開く方向に移動する側の先端に、垂直に立設された第２遮光板部５１ｄ、５２ｄと、第２遮光板部５１ｄ、５２ｄに対してシャッタ１０が閉じる方向に垂直に立設された第３遮光板部５１e、５２eが形成されている。各シャッタ板５１，５２の開き方向Ｂの側端縁は、開閉方向の断面で、略コ字形状の屈曲部として機能している。下側シェル３０及び上側シェル３１の外面にはシャッタ板５１，５２に対向するように突出部３１aが設けられ、シャッタ１０が閉じ位置にあるときに、第１遮光板部５１ｃ、５２ｃと第３遮光板部５１e，５２eの間に挿入される、突出部３１aから突き出した突条６５，６６がそれぞれ形成されている。
【００３８】
シャッタ１０が閉じ位置にあるとき、各シャッタ板５１，５２の端縁５１a、５１ｂ及び５２a、５２ｂが各シェル３０，３１のスリット６０，６２及び６１，６３に挿入され、各シェル３０，３１に設けられた突条６５，６６が各シャッタ板５１，５２の第１遮光板部５１ｃ、５２ｃと第３遮光板部５１e，５２eの間に入り込む。これにより、カートリッジ本体２５とシャッタ１０との間もラビリンス状の遮光構造によって取り囲まれるため、カートリッジ本体２５とシャッタ１０との隙間から光や塵芥が進入するのを効果的に防止することができる。
【００３９】
シャッタ１０の各シャッタ板５１，５２の内面には、ガイド突起５１ｆ、５２ｆが形成されており、各シェル３０，３１の外面には、ガイド突起５１ｆ、５２ｆが挿入されるガイド溝７０，７１（図４参照）が形成されている。シャッタ１０がカートリッジ本体２５の外面上で移動する際に、これらガイド突起５１ｆ、５２ｆがガイド溝７０、７１内で移動する。これにより、シャッタ１０はカートリッジ本体２５から外れることなく、スムーズに移動することができようになる。なお、下側シェル３０及び上側シェル３１とシャッタ１０は、原材料のプラスチックに滑剤が添加されているため、シャッタ１０の移動時の摩擦によって削り屑等が発生することはない。
【００４０】
図６及び図１２に示すように、上側シェル３１に組み込まれたロック機構１１は、上側シェル３１の外面に形成されてスリット６１につなげられたロック機構凹部７５と、この凹部７５内に組み込まれるロックレバー７６及びロックバネ７７と、ロック機構用凹部７５を塞ぐ板状のロックカバー７８とからなる。このロック機構１１は、シャッタ１０の上側シャッタ板５２に一体に形成された被係合爪５２ｇにロックレバー７６を係合させることにより、シャッタ１０を閉じ位置でロックする。
【００４１】
ロックレバー７６には、被係合爪５２ｇに係合する係合爪７６aと、ロック機構用凹部７５内に形成された穴７５aに回転自在に挿入される軸部７６ｂと、前述の三叉形状の解除用係合部２０とが一体に設けられている。ロックバネ７７は捩じりバネからなり、軸部７６ｂに挿入されて一端がロックレバー７６に掛けられ、他端がロック機構用凹部７５の内壁面に当接されることによりロックレバー７６を図中時計方向に向けて付勢する。解除用係合部２０は、ロックカバー７８に形成された穴７８aにより外部に突出しないように露呈される。ロック機構用凹部７５内の符号７５ｂは、ロックバネ７７によって付勢されたロックレバー７６を受け止めて、被係合爪５２ｇに係合する係合位置に保持する保持片である。
【００４２】
下側シェル３０に組み込まれたロック機構１２は、下側シェル３０の外面に形成されてスリット６０につなげられたロック機構用凹部８０と、この凹部８０内に組み込まれるロックレバー８１及びロックバネ８２と、ロック機構用凹部８０を塞ぐ板状のロックレバー８３とからなる。このロック機構１２は、シャッタ１０の下側シャッタ板５１に一体に形成された被係合爪５１ｇにロックレバー８１を係合させることにより、シャッタ１０を閉じ位置でロックする。なお、ロックレバー１２の各部品は、ロックレバー１１と同様の構成からなるため、詳しい説明は省略する。
【００４３】
図１３（Ａ）は、ロック機構１１のロック状態を示す平面図である。なお、ロックレバー７６の動作を示すために、ロックカバー７８を取り出した状態で図示している。図１及び図５（Ａ）に示すように、シャッタ１０が閉じ位置にあるときには、ロックバネ７７の付勢によって係合爪７６aが被係合爪５２ｇに係合している。これにより、シャッタ１０の開き方向への移動が規制されるため、シャッタ１０が不用意に開放されて記録ディスク４が曝光されることはない。
【００４４】
また、図１３（Ｂ）は、ロック機構１１のロック解除状態を示している。図３に示すように、解除用係合部２０が解除治具１８によって反時計方向の解除方向に回転されると、ロックレバー７６もロックバネ７７の付勢に抗して反時計方向に回転される。これにより、係合爪７６aと被係合爪５２ｇとの係合が解除され、シャッタ１０が移動可能となる。なお、シャッタ１０は、シャッタバネ５４によって閉じ位置に付勢されているため、ロック解除によりシャッタ１０が開くことはない。図３及び図５（Ｂ）に示すように、シャッタ１０が開き位置に移動されると開口７，８が開放され、記録ディスク４のホログラム記録層がカートリッジ２から露呈される。
【００４５】
なお、詳しくは図示しないが、ロック機構１２は、上記ロック機構１１と同様に、かつロック機構１１とは独立してロック及びロック解除が行われる。そのため、シャッタ１０の閉じ位置でのロックを解除するには、上下両面のロック機構１１，１２を同時に解除しなければならない。これにより、カートリッジ２が単体で外部にあるときに誤ってシャッタ１０が開放される危険性は非常に小さくなる。
【００４６】
図５の矢視部Ｅの拡大図である図１４に示すように、上側シェル３１の内面及びシャッタ１０に対面する外面には、粗面８５，８６が形成されている。この粗面８５，８６は、カートリッジ２内やカートリッジ本体２５とシャッタ１０との間に進入した光を減衰させ、記録ディスク４のホログラム記録層への悪影響を最小限にするために設けられている。なお、詳しくは図示しないが、粗面８５，８６は下側シェル３０にも設けられている。また、シャッタ１０に対面する粗面８６は、下側シェル３０及び上側シェル３１のスリット６０，６１，６２，６３内にも設けられている。更に、図１５に示すように、下側シェル３０の第１の凹部３４の内面と、上側シェル３１の第１の凸部４２の外面とにも粗面８８，８９を設けてもよいし、シャッタ１０の各シャッタ板５１，５２の内面に粗面を設けてもよい。
【００４７】
次に、本発明を用いたホログラム記録媒体用カートリッジの第２の実施形態について説明する。なお、以下に説明する実施形態において、すでに説明した部材などと同等な構成、作用を有する部材等については、図中に同一符号又は相当符号を付すことにより、説明を簡略化あるいは省略する。図１６は第２実施形態の場合の、図５の矢視部Ｅの拡大図である。シャッタ板１５２には、開口１０７を開閉するようにスライド移動する第１遮光板部１５２ｃと、第１遮光板部１５２ｃの、シャッタ１５２を開く方向に移動する側の先端に、垂直に立設された第２遮光板部１５２ｄが形成されており、各シャッタ板１５２の開き方向Ｂの側端縁は、開閉方向の断面で略Ｌ字形状の屈曲部として機能している。上側シェル１３１の外面に設けられた突出部１３１aには、シャッタ１１０が閉じ位置にあるときに、第１遮光板部１５２ｃに対向するように形成された突出部上面１８６と、第２遮光板部１５２ｄに対向するように形成された突出部側面１８７が設けられている。
【００４８】
シャッタ１１０が閉じ位置にあるとき、各シェル１３１に設けられた突出部上面１８６と突出部側面１８７はそれぞれ第１遮光板部１５２ｃ、第２遮光板部１５２ｄと対向する。これにより、カートリッジ本体２５とシャッタ板１１０との間もラビリンス状の遮光構造によって取り囲まれるため、カートリッジ本体２５とシャッタ１１０との隙間から光や塵芥が進入するのを効果的に防止することができる。
【００４９】
また、第１の実施形態と同じように、上側シェル１３１の内面及びシャッタ１１０に対面する外面である突出部上面１８６と突出部側面１８７は、粗面であってもよい。この粗面である突出部上面１８６と突出部側面１８７は、カートリッジ２内やカートリッジ本体２５とシャッタ１１０との間に進入した光を減衰させ、記録ディスク４のホログラム記録層への悪影響を最小限にするために設けられている。なお、図１６では上側シェル１３１の構成について説明したが、下側シェルも同じ構成とすることができる。たとえば、詳しくは図示しないが、粗面である突出部上面１８６と突出部側面１８７は下側シェルにも設けられている。
【００５０】
次に、本発明を用いたホログラム記録媒体用カートリッジの第３の実施形態について説明する。図１７は第２実施形態の場合の、図５の矢視部Ｅの拡大図である。各シャッタ板２５２には、開口２０７を開閉するようにスライド移動する第１遮光板部２５２ｃと、第１遮光板部２５２ｃのシャッタ２１０を開く方向に移動する側の先端に垂直に立設された第２遮光板部２５２ｄと、第２遮光板部２５２ｄに対してシャッタ２１０が開く方向に垂直に立設された第３遮光板部２５２eが形成されており、シャッタ板２５２の開き方向Ｂの側端縁は、開閉方向の断面で略階段状の屈曲部として機能する。上側シェル２３１の外面に設けられた突出部２３１aには、シャッタ２１０が閉じ位置にあるときに、第１遮光板部２５２ｃに対向するように形成された突出部上面２８６と、第２遮光板部２５２ｄに対向するように形成された突出部側面２８７と、突出部上面２８６の内側にオフセットされ、第３遮光板部２５２eに対向するように形成されたシャッタ摺動面２８５が設けられている。
【００５１】
シャッタ２１０が閉じ位置にあるとき、上側シェル２３１に設けられた突出部上面２８６と、突出部側面２８７と、シャッタ摺動面２８５とはそれぞれ第１遮光板部２５２ｃと、第２遮光板部２５２ｄと、第３遮光板部２５２eとに対向する。これにより、カートリッジ本体２２５とシャッタ板２５１，２５２との間もラビリンス状の遮光構造によって取り囲まれるため、カートリッジ本体２５とシャッタ２１０との隙間から光や塵芥が進入するのを効果的に防止することができる。
【００５２】
また、第１の実施形態と同じように、上側シェル２３１の内面及びシャッタ２１０に対面する外面である突出部上面２８６と突出部側面２８７、シャッタ摺動面２８５は、粗面であってもよい。この粗面である突出部上面２８６と、突出部側面２８７と、シャッタ摺動面２８５とは、カートリッジ２内やカートリッジ本体２２５とシャッタ２１０との間に進入した光を減衰させ、記録ディスク４のホログラム記録層への悪影響を最小限にするために設けられている。なお、詳しくは図示しないが、粗面である突出部上面２８６と突出部側面２８７、シャッタ摺動面２８５は下側シェルにも設けられている。
【実施例】
【００５３】
次に、本発明の実施例について説明する。
上側シェル及び下側シェルの成形に用いる熱可塑性プラスチックには、PBT、ＡＢＳ、ＰＯＭ、ＰＳ、ＰＰ、ＨＤＰＥ、ＰＡ、ＰＥＴ、ＰＰＳ、ＳＡＮ（スチレン−アクリルロニトル共重合）、ＰＭＭＡ、ＰＣ等を用いることができる。また、超音波溶着による誤溶着防止のために、上側シェル及び下側シェル以外の部品については、上記熱可塑性プラスチックの中から、上側シェル及び下側シェルに使用したものと異なるものを選択するとよい。
【００５４】
上側シェル及び下側シェルには、厚み０．２ｍｍにおいて可視光線透過率が１．０％以下の遮光性を有するプラスチックを使用し、必要な物理的強度を得るために、その肉厚を０．２〜１．６ｍｍの範囲で形成するのが好ましい。上記遮光性を有するプラスチックを得るには、遮光性物質を添加するとよい。遮光性物質としては、種々のものを用いることができ、使用する遮光性物質に応じて０．０１〜５．００重量％を添加するのが好ましい。遮光性物質としては、以下のようなものが挙げられる。
【００５５】
（１）無機化合物
Ａ．酸化物・・・シリカ、ケイ藻土、アルミナ、酸化チタン、酸化鉄（鉄黒）、酸化亜鉛、酸化マグネシウム、酸化アンチモン、バリウムフェライト、ストロンチウムフェライト、酸化ベリリウム、軽石、軽石バルーン、アルミナ繊維等
Ｂ．水酸化物・・・水酸化アルミニウム、水酸化マグネシウム、塩基性炭酸マグネシウム等
Ｃ．炭酸塩・・・炭酸カルシウム、炭酸マグネシウム、ドロマイト、ドーソナイト等
Ｄ．（亜）硫酸塩、・・・硫酸カルシウム、硫酸バリウム、硫酸アンモニウム、亜硫酸カルシウム等
Ｅ．ケイ酸塩・・・タルク、クレー、マイカ、アスベスト、ガラス繊維、ガラスバルーン、ガラスビーズ、ケイ酸カルシウム、モンモリロナイト、ベントナイト等
Ｆ．炭素・・カーボンブラック、グラファイト、炭素繊維、炭素中空球等
Ｇ．その他・・・鉄粉、銅粉、鉛粉、アルミニウム粉、硫化モリブデン、ポロン繊維、炭化ケイ素繊維、黄銅繊維、チタン酸カリウム、チタン酸ジルコン酸鉛、ホウ酸亜鉛、メタホウ酸バリウム、ホウ酸カルシウム、ホウ酸ナトリウム、アルミニウムペースト、タルク等
（２）有機化合物
木粉（松、樫、ノコギリクズなど）、穀繊維（アーモンド、ピーナッツ、モミ殻など）、木綿、ジュート、紙細片、非木材繊維（ワラ、ケナフ、竹、エスパルト、パガス、モロヘイヤ、煙火など）、セロハン片、ナイロン繊維、ポリプロピレン繊維、デンプン（変性デンプン、表面処理デンプンも含む）、芳香族ポリアミド繊維等
【００５６】
これらの遮光性物質に中で、写真性に悪影響を及ぼすことが少なく、１５０℃以上でも熱に安定で不透明化する無機化合物が好ましく、特に、耐熱性、耐光性が優れ比較的不活性な物質である、光吸収性のカーボンブラックと窒化チタンとグラファイト及び鉄黒が好ましい。
【００５７】
遮光性物質としてカーボンブラックを使用する場合には、その添加量を０．０１〜２．００重量％とするのが好ましい。上述したように、遮光性及び物理強度のバランスがよいプラスチックを得るためである。
【００５８】
カーボンブラックの原料による分類例をあげるとガスブラック、ファーネスプラック、チャンネルブラック、アントランセンブラック、アセチレンブラック、ケッチェンカーボンプラック、サーマルブラック、ランプブラック、油煙、松煙、アニマルプラック、ベジタブルブラック等がある。
【００５９】
好ましいカーボンブラッグの市販品の代表例としては、例えば三菱化成製のカーボンブラック＃２０（Ｂ）、＃３０（Ｂ）、＃３３（Ｂ）、＃４０（Ｂ）、＃４１（Ｂ）、＃４４（Ｂ）、＃４５（Ｂ）、＃５０、＃５５、＃１００、＃６００、＃９５０、＃１０００、＃２０００（Ｂ）、＃２４００（Ｂ）、ＭＡ８、ＭＡ１００等が挙げられる。また、電気化学製のデンカブラック、東海カーボンのシースト、旭カーボンの旭＃７８、昭和キャボネットのショウワブラック、新日鉄化学のニテロン、三菱化学のダイヤモンドブラック等の各種グレードのものも用いることができる。
【００６０】
海外の製品としては、例えばキャボネット社のＢｌａｃｋ  Ｐｅａｒｌｓ  ２、４６、７０、７１、７４、８０、８１、６０７等、Ｒｅｇａｌ１３００、３３０，４００，６６０、９９１、ＳＲＦ−Ｓ等、Ｖｕｌｃａｎ  ３、６等、Ｓｔｅａｒｌｉｎｇ１０、ＳＯ、Ｖ、Ｓ、ＦＴ−ＦＦ、ＭＴ−ＦＦ等が挙げられる。
【００６１】
さらにアシュランドケミカル社のＵｎｉｔｅｄ  Ｒ、ＢＢ，１５，１０２，３００１，３００４，３００６，３００７，３００８、３００９，３０１１，３０１２、ＸＣ−３０１６、ＸＣ−３０１７、３０２０等が挙げることができるが、本発明は、これらに限定されるものではない。
【００６２】
また、上側シェル及び下側シェルと、シャッタとに添加する滑剤としては、シリコーン系滑剤、特に各種グレードのジメチルポリロキサンを使用することができ、東レ、ダウコーニング、シリコーン、ＧＥ東芝シリコーン、旭化成ワッカーシリコーン、信越化学等から市販されている各種グレードのものを使用することができる。なお、マスターバッチ、練りこみ品のどちらでも使用可能である。なお、シリコーン系滑剤の添加量としては、０．１〜５．０重量％が好ましい。上述したように、摩擦抵抗と、製品品質、製造適正のバランスのよいプラスチックを得るためである。
【００６３】
また、シェルに設ける粗面としては、表面粗さＲａ：５μｍ以下だと光拡散効果が薄く、２０μｍ以上だと記録ディスクとの接触面に傷を発生させるおそれがある。そのため、表面粗さＲａ：５〜２０μｍのマット加工、またはシボ加工が好ましい。
【００６４】
また、上側シェルと下側シェルとの固着に超音波溶着を用いたが、その他の溶着方法及び固着方法を用いてもよい。例えば、ネジなどで固着する場合には、ネジ穴の周囲にも遮光構造を形成するのが好ましい。
【００６５】
更に、両面に記録が可能な記録ディスクを収容するカートリッジを例に説明したが、一方の面に記録される記録ディスクに対応させてもよい。この場合には、開口を一方の面にのみ形成し、シャッタでこの開口を開閉する。また、ホログラム記録媒体を収容するカートリッジを例に説明したが、その他の感光性を有する記録媒体を収容するカートリッジにも本発明を適用することができる。
【００６６】
また、本発明に係るカートリッジは、シャッタの外周端部とカートリッジ本体の屈曲部との間でラビリンス構造を形成することができれば、シャッタの屈曲部は、シャッタを開く方向に移動する側の端部に限定されず、シャッタの外周端部のいずれの部位に屈曲部を設けて設けてもよい。例えば、図１１に示すように、シャッタ板５１，５２の後端縁５１ｂ，５２ｂに屈曲部を形成し、これら後端縁５１ｂ，５２ｂの屈曲部に対応する位置にカートリッジ本体側の突出部を形成してもよい。
【図面の簡単な説明】
【００６７】
【図１】第１実施形態のカートリッジの外観を示す斜視図である。
【図２】カートリッジの裏面側の外観形状を示す斜視図である。
【図３】カートリッジのシャッタ開放状態を示す外観斜視図である。
【図４】カートリッジ装填方向の断面図である。
【図５】カートリッジの装填方向に直交する方向の断面図である。
【図６】カートリッジの構成を示す分解斜視図である。
【図７】カートリッジ本体の構成を示す分解斜視図である。
【図８】凸部及び凹部からなる遮光構造を示す断面図である。
【図９】位置決め穴の遮光構造を示す断面図である。
【図１０】エネルギーダイレクタを設けた遮光構造の断面図である。
【図１１】シャッタの構成を示す分解斜視図である。
【図１２】ロック機構の構成を示す要部断面図である。
【図１３】ロック機構の動作説明図である。
【図１４】第１実施形態の上側シェルの断面図である。
【図１５】凸部及び凹部に設けた粗面を示す断面図である。
【図１６】第２実施形態の上側シェルの断面図である。
【図１７】第３実施形態の上側シェルの断面図である。
【符号の説明】
【００６８】
４  記録ディスク
７、１０７、２０７  開口
１０、１１０、２１０  シャッタ
３１、１３１、２３１  上側シェル
３１ａ、１３１ａ、２３１ａ  突出部
５２、１５２、２５２  シャッタ板
５２ｃ、１５２ｃ、２５２ｃ  第１遮光板部
５２ｄ、１５２ｄ、２５２ｄ  第２遮光板部
５２ｅ、２５２ｅ  第３遮光板部
６６  突条
１８６、２８６  突出部上面
１８７、２８７  突出部側面
２８５  シャッタ摺動面
【図１】
0004452665.tif 000002
【図２】
0004452665.tif 000003
【図３】
0004452665.tif 000004
【図４】
0004452665.tif 000005
【図５】
0004452665.tif 000006
【図６】
0004452665.tif 000007
【図７】
0004452665.tif 000008
【図８】
0004452665.tif 000009
【図９】
0004452665.tif 000010
【図１０】
0004452665.tif 000011
【図１１】
0004452665.tif 000012
【図１２】
0004452665.tif 000013
【図１３】
0004452665.tif 000014
【図１４】
0004452665.tif 000015
【図１５】
0004452665.tif 000016
【図１６】
0004452665.tif 000017
【図１７】
0004452665.tif 000018